【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
コンテンツ提供装置が生成した撮影画像であるコンテンツと、上記コンテンツ提供装置にて入力され上記コンテンツと対応付けられている、ユーザの宛先とを受信する受信部と、
上記コンテンツと上記ユーザの宛先とを対応付けて一時保存部に一時的に保存させる実行部と、
上記一時保存部において、上記コンテンツの残存保存期間が所定の期間よりも短いか否かを判定する残存保存期間判定部と、
上記コンテンツが、各ユーザ専用の記憶領域に保存されたか否かを判定する保存状態判定部と、
上記残存保存期間判定部が、上記コンテンツの残存保存期間が上記所定の期間よりも短いと判定し、かつ、上記保存状態判定部が上記コンテンツが上記各ユーザ専用の記憶領域に保存されていないと判定した場合、上記コンテンツに対応する上記ユーザの宛先に上記コンテンツの保存状態を通知する送信部とを備えていることを特徴とする管理装置。
【請求項２】
上記残存保存期間判定部が、上記コンテンツの残存保存期間が上記所定の期間よりも短いと判定し、かつ、上記保存状態判定部が上記コンテンツが上記各ユーザ専用の記憶領域に保存されていると判定した場合、上記送信部が上記コンテンツに対応する上記ユーザの宛先に上記コンテンツの保存状態を通知しないことを特徴とする請求項１に記載の管理装置。
【請求項３】
上記受信部は、上記コンテンツと対応付けられている複数の上記ユーザの宛先を受信し、
上記保存状態判定部は、上記コンテンツと対応付けられている複数の上記ユーザの宛先のうち少なくとも１つに対応するユーザの通信端末の指示によって上記コンテンツが上記各ユーザ専用の記憶領域に保存されたか否かを判定し、
上記保存状態判定部が、複数の上記ユーザの宛先のうち少なくとも１つに対応するユーザの通信端末の指示によって上記コンテンツが上記各ユーザ専用の記憶領域に保存されたと判定した場合、上記送信部がいずれのユーザの宛先にも上記コンテンツの保存状態を通知しないことを特徴とする請求項１に記載の管理装置。
【請求項４】
上記受信部は、上記コンテンツと対応付けられている複数の上記ユーザの宛先を受信し、
上記保存状態判定部は、上記コンテンツと対応付けられている複数の上記ユーザの宛先に対応するそれぞれのユーザの通信端末からの指示によって上記コンテンツが上記各ユーザ専用の記憶領域に保存されたか否かを上記通信端末ごとに判定し、
上記送信部が上記コンテンツに対して保存を指示していない上記通信端末の上記ユーザの宛先に上記コンテンツの保存状態を通知することを特徴とする請求項１に記載の管理装置。
【請求項５】
上記保存状態判定部が、さらに、上記コンテンツと対応付けられているユーザの宛先の通信端末と異なる他の通信端末の指示によって上記コンテンツが上記各ユーザ専用の記憶領域に保存されたか否かを判定し、
上記保存状態判定部が、上記コンテンツと対応付けられているユーザの宛先の通信端末と異なる他の通信端末の指示によって上記コンテンツが上記各ユーザ専用の記憶領域に保存されたと判定した場合、上記送信部が上記ユーザの宛先に上記コンテンツの保存状態を通知しないことを特徴とする請求項１に記載の管理装置。
【請求項６】
上記受信部が上記コンテンツおよび当該コンテンツと同一プレイ内で生成された他のコンテンツを受信し、
上記実行部が上記コンテンツおよび上記他のコンテンツを上記一時保存部に一時的に保存し、
上記保存状態判定部が、上記他のコンテンツが上記各ユーザ専用の記憶領域に保存されていると判定した場合に、上記送信部が上記コンテンツと対応しているユーザの宛先に、上記コンテンツの保存状態を通知しないことを特徴とする請求項１に記載の管理装置。
【請求項７】
上記一時保存部に一時保存されている上記コンテンツを上記各ユーザ専用の記憶領域に保存する指示を外部機器から受け付けて、上記一時保存部に一時保存されている上記コンテンツを上記各ユーザ専用の記憶領域に保存するユーザ指示実行部をさらに備えることを特徴とする請求項１に記載の管理装置。
【請求項８】
上記送信部は、上記ユーザの宛先に対応するユーザの会員の種類に応じて、異なる通知を送信することを特徴とする請求項１に記載の管理装置。
【請求項９】
上記会員の種類は、有料会員、無料会員および非会員を含むことを特徴とする請求項８に記載の管理装置。
【請求項１０】
上記送信部は、上記ユーザの会員の種類が非会員である場合、会員に誘導する通知を送信し、上記ユーザの会員の種類が無料会員である場合、有料会員に誘導する通知を送信することを特徴とする請求項８に記載の管理装置。
【請求項１１】
ユーザが上記各ユーザ専用の記憶領域に保存する撮影画像の枚数に応じて、当該ユーザに対する課金額を決定する課金額決定部をさらに備えることを特徴とする請求項１に記載の管理装置。
【請求項１２】
コンテンツ提供装置が生成した撮影画像であるコンテンツと、上記コンテンツ提供装置にて入力され上記コンテンツと対応付けられているユーザの宛先とを受信する受信ステップと、
上記コンテンツと上記ユーザの宛先とを対応付けて一時保存部に一時的に保存させる実行ステップと、
上記一時保存部において、上記コンテンツの残存保存期間が所定の期間よりも短いか否かを判定する残存保存期間判定ステップと、
上記コンテンツが、各ユーザ専用の記憶領域に保存されたか否かを判定する保存状態判定ステップと、
上記残存保存期間判定ステップにおいて、上記コンテンツの残存保存期間が上記所定の期間よりも短いと判定され、かつ、上記保存状態判定ステップにおいて上記コンテンツが上記各ユーザ専用の記憶領域に保存されていないと判定された場合、上記コンテンツに対応する上記ユーザの宛先に上記コンテンツの保存状態を通知する送信ステップとを含むことを特徴とする管理装置の制御方法。
【手続補正２】
【補正対象書類名】明細書
【補正対象項目名】００２３
【補正方法】変更
【補正の内容】
【００２３】
ここで、メール送信システム１の概要を説明する。まず、ユーザは、写真シール作成装置４で作成した撮影画像を携帯端末３で取得するために、写真シール作成装置４にメールアドレスを入力する。写真シール作成装置４は、撮影画像（撮影画像データ）と対応付けて、上記メールアドレス、および撮影画像を識別するための情報である撮影画像情報（コンテンツ識別情報）を管理サーバ２に送信する。なお、ユーザは、写真シール作成装置４に複数のメールアドレスを入力してもよい。この場合、写真シール作成装置４は、撮影画像に複数のメールアドレスおよび撮影画像情報を対応付けて、当該撮影画像を管理サーバ２に送信する。また、ユーザがメールアドレスを入力しなかった場合、写真シール作成装置４は、撮影画像に撮影画像情報を対応付けて、当該撮影画像を管理サーバ２に送信する。なお、上記メールアドレスはメールの宛先としての通常のメールアドレスだけでなく、通知を送信するためのユーザの宛先を示すものである。ここで、「ユーザの宛先」とは、携帯端末３にインストールされた、通知機能を持つアプリケーション（アプリ）またはサービスにおいてユーザを特定する情報である。より具体的には、ユーザの宛先とは、チャットアプリ、メッセージアプリ、ＳＮＳ、電子掲示板、およびＳＭＳ（ショートメールメッセージ）などのアカウントＩＤなどである。なお、上記通知の送信は、上述したアプリケーションまたはサービスのタイムラインやウォールと呼ばれるＳＮＳの投稿ページに対する記事の投稿（いわゆるフィード）であっても構わない。
【手続補正３】
【補正対象書類名】明細書
【補正対象項目名】００２６
【補正方法】変更
【補正の内容】
【００２６】
管理サーバ２は、上記メールアドレスを受信すると、当該メールアドレスに対応付けられた撮影画像を取得するためのウェブページのＵＲＬ（コンテンツ取得情報）または当該ウェブページへのリンク付きの表示画像（撮影画像のサムネイル）を含むメールを、当該メールアドレス宛てに送信する。ユーザは、携帯端末３でメールを受け取ると、上記ウェブページにアクセスするために携帯端末３を操作してＵＲＬまたはリンクを選択（押下）する。管理サーバ２は、ユーザの上記ウェブページへのアクセス要求（コンテンツ取得要求）を受けて、携帯端末３に、撮影画像を取得または保存するためのウェブページを送信する。なお、上記メールアドレスが上述したユーザの宛先を示す場合、上記メールアドレス宛てのメールは、上記ユーザの宛先に向けての通知であってもよい。また、当該通知は、上記ユーザの宛先に対応する上述のアプリまたはサービスにユーザが自発的にアクセスすることで受信されるプル通知であってもよいし、上記アプリまたはサービスにユーザが自発的にアクセスしなくとも受信されるプッシュ通知であってもよい。
【手続補正４】
【補正対象書類名】明細書
【補正対象項目名】００３３
【補正方法】変更
【補正の内容】
【００３３】
（通信部２１）
通信部２１は、写真シール作成装置４および携帯端末３と通信を行う通信デバイスである。具体的には、通信部２１は、写真シール作成装置４から撮影画像、撮影画像のシールＩＤおよびユーザが入力したメールアドレスを受信し、後述する受信部２２１に出力する。また、通信部２１は、後述するメール作成部２２５が作成したメールを、ユーザが入力したメールアドレス宛てに送信する。さらに、通信部２１は、携帯端末３に、画像提供サイトの各ウェブページを送信する。
（受信部２２１）
受信部（受信手段）２２１は、通信部２１が写真シール作成装置４および携帯端末３から受信した各種情報を受け取り、各部に出力する。例えば、受信部２２１は、撮影画像、撮影画像のシールＩＤおよびユーザが入力したメールアドレスを受け取り、画像一時保存実行部２２２に出力する。また、受信部２２１は、ユーザが入力したメールアドレス宛てに送信されたメールに含まれるＵＲＬ（またはリンク付き表示画像）が、携帯端末３にて選択されたことを示す情報を受け取り、ユーザ指示実行部２２７に出力する。